(57)【要約】【課題】付着力の強い汚れが観察窓の表面に付着した場合でも、送水操作により汚れを洗い流して良好な内視鏡観察を行うことができる内視鏡の送水装置を提供すること。【解決手段】送水ノズル８を挿入部先端２から突没する方向に進退可能に配置すると共に、送水ノズル８を挿入部先端２内に引っ込む方向に付勢する付勢手段８０を設け、送水ノズル８に加わる送水圧が大きくなると、送水ノズル８が付勢手段８０の付勢力に抗して挿入部先端２から突出する方向に移動するようにした。【選択図】      図１
2006304915.tif 000002
【特許請求の範囲】
【請求項１】
挿入部先端に配置された観察窓の表面に向かって水を噴出するための送水ノズルが上記挿入部先端の上記観察窓の近傍位置に突設された内視鏡の送水装置において、
上記送水ノズルを上記挿入部先端から突没する方向に進退可能に配置すると共に、上記送水ノズルを上記挿入部先端内に引っ込む方向に付勢する付勢手段を設け、
上記送水ノズルに加わる送水圧が大きくなると、上記送水ノズルが上記付勢手段の付勢力に抗して上記挿入部先端から突出する方向に移動するようにしたことを特徴とする内視鏡の送水装置。
【請求項２】
上記送水ノズルが上記挿入部先端に対して最も突出する位置と最も突出していない位置を各々規制するストッパ手段が設けられている請求項１記載の内視鏡の送水装置。
【発明の詳細な説明】
【技術分野】
【０００１】
この発明は内視鏡の送水装置に関する。
【背景技術】
【０００２】
内視鏡の挿入部先端には一般に、体腔内観察中に観察窓の表面に付着した汚れを洗い流すために、観察窓の表面に向かって水を噴出するための送水ノズルが観察窓の近傍位置に突設されている（例えば、特許文献１）。
【特許文献１】特開２０００−５１１４１
【発明の開示】
【発明が解決しようとする課題】
【０００３】
図６は、従来の内視鏡の挿入部先端の一例を示しており、挿入部９１の先端に連結された先端部本体９２の先端面９２ａに観察窓９３が配置され、その観察窓９３の表面に向かって開口するノズル口９４ａを有する送水ノズル９４が、先端部本体９２の先端面９２ａから突設されている。
【０００４】
しかし、このような構成の内視鏡の送水装置においては、付着力がある程度強い例えば粘液状の汚れ等が観察窓９３の表面に付着した場合には、送水ノズル９４からの送水操作を行っても汚れが洗い流されず、良好な内視鏡観察を行うことができなくなる場合が少なくない。
【０００５】
そこで本発明は、付着力の強い汚れが観察窓の表面に付着した場合でも、送水操作により汚れを洗い流して良好な内視鏡観察を行うことができる内視鏡の送水装置を提供することを目的とする。
【課題を解決するための手段】
【０００６】
上記の目的を達成するため、本発明の内視鏡の送水装置は、挿入部先端に配置された観察窓の表面に向かって水を噴出するための送水ノズルが挿入部先端の観察窓の近傍位置に突設された内視鏡の送水装置において、送水ノズルを挿入部先端から突没する方向に進退可能に配置すると共に、送水ノズルを挿入部先端内に引っ込む方向に付勢する付勢手段を設け、送水ノズルに加わる送水圧が大きくなると、送水ノズルが付勢手段の付勢力に抗して挿入部先端から突出する方向に移動するようにした。
【０００７】
なお、送水ノズルが挿入部先端に対して最も突出する位置と最も突出していない位置を各々規制するストッパ手段が設けられているとよい。
【発明の効果】
【０００８】
本発明によれば、送水ノズルに加わる送水圧が大きくなると、送水ノズルが付勢手段の付勢力に抗して挿入部先端から突出する方向に移動するようにしたことにより、観察窓に対する送水噴射位置を移動及び運動させることができるので、付着力の強い汚れが観察窓の表面に付着した場合でも、送水操作によりその汚れを洗い流して良好な内視鏡観察を行うことができる。
【発明を実施するための最良の形態】
【０００９】
挿入部先端に配置された観察窓の表面に向かって水を噴出するための送水ノズルが挿入部先端の観察窓の近傍位置に突設された内視鏡の送水装置において、送水ノズルを挿入部先端から突没する方向に進退可能に配置すると共に、送水ノズルを挿入部先端内に引っ込む方向に付勢する付勢手段を設け、送水ノズルに加わる送水圧が大きくなると、送水ノズルが付勢手段の付勢力に抗して挿入部先端から突出する方向に移動するようにする。
【実施例】
【００１０】
図面を参照して本発明の実施例を説明する。
図３は内視鏡を示しており、可撓性の挿入部１の先端には観察窓等が配置された先端部本体２が連結され、挿入部１の基端には操作部３が連結されている。
【００１１】
挿入部１内には、送気管４、送水管５、吸引管（兼処置具挿通チャンネル）６等が挿通配置されていて、それらに連通する送気ノズル７、送水ノズル８、吸引口９等が先端部本体２に配置されている。
【００１２】
操作者が保持して各種の操作を行う操作部３には、送気送水操作弁１１と吸引操作弁１２等が配置されている。１０は、挿入部１と操作部３との境界付近に斜め上方に向けて配置された処置具挿入口である。
【００１３】
送気送水操作弁１１には、送気管４と送水管５の基端が各々接続されると共に、加圧空気が供給される給気管１４と加圧水が供給される給水管１５の先端が各々接続されており、送気送水操作弁１１を操作することにより、送気ノズル７から空気を噴出させたり、送水ノズル８から水を噴出させることができる。
【００１４】
図２は挿入部１の先端部分を示しており、先端部本体２の先端面に配置された観察窓１６の奥には対物光学系１７が配置され、その対物光学系１７による被写体の投影位置に固体撮像素子１８の撮像面が配置されている。
【００１５】
送水ノズル８は、ノズル口８ａが観察窓１６の表面方向に向いた状態になるように頭部８ｂが先端部本体２の先端面２ａから突出して配置され、頭部８ｂと一体に形成された筒状部８ｃが先端部本体２の軸線と平行方向に（したがって、先端面２ａと垂直方向に）進退自在に先端部本体２内に潜った状態に配置されている。
【００１６】
筒状部８ｃ内の軸線位置に形成された水路孔８ｄはノズル口８ａと連通しており、筒状部８ｃが挿通配置されている先端部本体２の配置孔２ｐの後端部には送水管５の先端が接続されている。したがって、送水管５から加圧水が送られてくると、その加圧水は筒状部８ｃ内の水路孔８ｄを通ってノズル口８ａから観察窓１６の表面に向かって噴出される。
【００１７】
筒状部８ｃの中間部分の周囲にはコイルスプリング８０（付勢手段）が装着されていて、筒状部８ｃの後端部に一体に固着された移動側スプリング受け８ｆと先端部本体２に形成された固定側スプリング受け２ｂとの間でコイルスプリング８０が圧縮されている。
【００１８】
したがって、送水ノズル８は先端部本体２内に引っ込む方向にコイルスプリング８０で付勢されている。ただし、筒状部８ｃの頭部８ｂ寄りの外周部分に形成されたストッパ段部８ｇが先端部本体２に形成された小径ストッパ部２ｃに当接するので、図２に示されるように、送水ノズル８は、ノズル口８ａの半分程度が先端部本体２の先端面２ａから出っ張った位置より先端部本体２内に引っ込む状態にはならない。
【００１９】
逆に、送水ノズル８に先端部本体２から引き出す方向の外力が加わると、図１に示されるように、送水ノズル８がコイルスプリング８０の付勢力に抗して先端部本体２の先端面２ａから飛び出してくる。
【００２０】
その場合には、コイルスプリング８０の付勢力と外力とが釣り合う位置で送水ノズル８が静止し、コイルスプリング８０が密着状態になれば、送水ノズル８は先端部本体２からそれ以上飛び出すことができない。
【００２１】
図４と図５は、操作部３の送気送水操作弁１１において送水操作が行われている状態を示している。
送気送水操作弁１１は、シリンダ体１１１内に軸線方向に進退自在に挿通配置されたピストン体１１２が、その突端に取り付けられた操作ボタン１１３を指先で押し込み操作することにより軸線方向に移動して、ピストン体１１２に形成された連通孔１１４を介して給水管１５と送水管５とが連通する公知の構成のものである。
【００２２】
このような送気送水操作弁１１においては、図４に示されるように操作ボタン１１３が一杯まで押し込まれていない状態では、給水管１５と連通孔１１４との連通面積が小さくなるので、操作ボタン１１３が一杯まで押し込まれた図５に示される状態に比べて送水管５に送られる送水の圧力が低い。
【００２３】
その結果、図４に示されるように操作ボタン１１３が一杯まで押し込まれていない状態では、図２に示されるように、挿入部１の先端において、送水ノズル８が先端部本体２内から飛び出してこない状態で観察窓１６の表面に向かって送水が行われ、観察窓１６の表面の送水ノズル８寄りの領域が洗浄される。
【００２４】
一方、図５に示されるように操作ボタン１１３が一杯に押し込まれた状態では、図１に示されるように、挿入部１の先端において送水ノズル８が先端部本体２から一杯に飛び出した状態で観察窓１６の表面に向かって送水が行われ、観察窓１６の表面の送水ノズル８から離れた領域が洗浄される。
【００２５】
したがって、操作ボタン１１３を押し込み操作する過程で、送水ノズル８のノズル口８ａが次第に突出して観察窓１６に対する送水噴射領域が移動し、観察窓１６全体を良好に洗浄することができる。
【００２６】
また、操作ボタン１１３を図４と図５とに示される状態の間で指先で往復動操作すれば、それに伴ってノズル口８ａが図２と図１とに示される状態の間で往復動し、観察窓１６に対する送水噴射位置が振動して洗浄能がアップするので、粘液などのような付着力の強い汚れが観察窓１６に付着していても洗浄除去することができる。
【図面の簡単な説明】
【００２７】
【図１】本発明の実施例の内視鏡の挿入部先端の送水ノズルが飛び出した状態の側面断面図である。
【図２】本発明の実施例の内視鏡の挿入部先端の送水ノズルが引っ込んだ状態の側面断面図である。
【図３】本発明の実施例の内視鏡の配管図である。
【図４】本発明の実施例の送水操作の状態を示す送気送水操作弁の側面断面図である。
【図５】本発明の実施例の送水操作の状態を示す送気送水操作弁の側面断面図である。
【図６】従来の内視鏡の挿入部先端の側面断面図である。
【符号の説明】
【００２８】
１  挿入部
２  先端部本体（挿入部先端）
２ａ  先端面
２ｂ  固定側スプリング受け
２ｃ  小径ストッパ部
５  送水管
８  送水ノズル
８ａ  ノズル口
８ｂ  頭部
８ｃ  筒状部
８ｄ  水路孔
８ｆ  移動側スプリング受け
８ｇ  ストッパ段部
１１  送気送水操作弁
１５  給水管
１６  観察窓
８０  コイルスプリング（付勢手段）
【図１】
2006304915.tif 000003
【図２】
2006304915.tif 000004
【図３】
2006304915.tif 000005
【図４】
2006304915.tif 000006
【図５】
2006304915.tif 000007
【図６】
2006304915.tif 000008